(57)【要約】      （修正有）【課題】魚道と固定堰の落差を解消し、魚類の円滑な遡上または降下を補助し、魚類の個体数の維持または復元を図る魚道利水板付属傾斜装置を提供する。【解決手段】固定堰に設置された魚道の上流側に取水に用いる利水板が設けられ、垂直の利水板の高さとほぼ同じ水準の高さを持つ上流部１と、堰に設置された魚道の面とほぼ同じ水準となる下流部を結ぶ傾斜板３と、魚道に接する底面板４から成る。垂直の利水板の下流側に傾斜板３を横断工作物に影響が少ない方法で設置することで、垂直の壁を無くし、魚類の遡上を円滑にするものである。これにより利水と環境保全（魚類等の生息）の両立を図る。【選択図】図１
0003200421.tif 000002
【実用新案登録請求の範囲】
【請求項１】
固定堰に設置された魚道の上流側に取水に用いる利水板が設けられ、垂直な上記利水板の高さとほぼ同じ水準の高さを持つ上流部と、堰に設置された魚道の面とほぼ同じ水準となる下流部を結ぶ傾斜部と、魚道に接する底部から成る魚道利水板付属傾斜装置。
【請求項２】
上記上流部を上記利水板に直接取り付けて固定する固定手段を設けたことを特徴とする請求項１に記載する魚道利水板付属傾斜装置。
【請求項３】
上記上流部が直接上記利水板として機能するようにしたことを特徴とする請求項１に記載する魚道利水板付属傾斜装置。
【請求項４】
上記傾斜部に凹凸面を設けたことを特徴とする請求項１に記載する魚道利水板付属傾斜装置。
【請求項５】
上記傾斜部の両端に流水の流向を拡散せずなおかつ流速を増幅させるためにフランジを設置した事を特徴とする請求項１に記載する魚道利水板付属傾斜装置。
【請求項６】
傾斜板と利水板の間にプール部を設置したことを特徴とする請求項１に記載する魚道利水板付属傾斜装置。
【請求項７】
固定堰に設けた固定のための装置に対応して、底部に固定のための孔を設けたことを特徴とする請求項１に記載する魚道利水板付属傾斜装置。
【考案の詳細な説明】
【技術分野】
【０００１】本考案は魚が遡上するための魚道利水板付属傾斜装置に関するものである。
【背景技術】
【０００２】  日本にはアユやサケなど河川を遡上・降下する回遊魚が多く生息している。灌漑用水を目的とした河川横断構造物（堰）はこれを阻害するため、近年は施設管理者又は河川管理者により魚道が設けられている。【０００３】  しかし、魚道頂部には取水の便宜をはかる目的の垂直の利水板が設置されている場合が多く、魚類の遡上を著しく妨げている（図５、図６）。これは、整備された魚道を魚類が遡上したとしても、頂部にある垂直の利水板が壁になってしまうためである。【０００４】  また、魚類の遡上を良くするために垂直の利水板や横断工作物（堰）に手を加えることは、利水者（横断工作物（堰）の管理者）の理解を得ることも簡単ではない。【０００５】
【特許文献１】特開２０１１−０５２５０４
【考案の概要】
【考案が解決しようとする課題】
【０００６】  堰などの改良工事を伴う大掛かりな魚道と異なる簡易な魚道装置が注目されている。一例として、サイフォン式パイプ魚道（特許文献１）が発明されており、堰に本装置を立て掛けるだけで機能する取り外しが容易にできるものである。また、各地域の河川管理者に問い合わせ確認したところ、魚道最上端の利水版による遡上障害を解決した構造物及び装置は現在のところ見受けられないと報告されている。
そこで本考案では、垂直の利水板の下流側に傾斜版を横断工作物に影響が少ない方法で設置する（状況に応じプールも設置可能）ことで、垂直の壁を無くし、魚類の遡上を円滑にするものである（図７，図８）。これにより利水と環境保全（魚類等の生息）の両立を図る。
【課題を解決するための手段】
【０００７】  農業等の利水及び魚類の遡上を同時に実現すること、利水者（横断工作物（堰）の管理者）の理解が得やすくすることを考慮し、ボルトのみの固定とし、利水板から脱着可能となる魚道利水板付属傾斜装置を考案した。
これにより、設置した傾斜装置を容易に取り外す事が出来、また、河川構造物（堰）にもボルト式アンカー（セットアンカー）を埋め込む（ボルト用の小さな穴を削孔し、ボルト式アンカーを接着剤等で固定）だけで、利水板に手を加えることもなく、横断工作物の構造物自体への影響（構造的・強度的）は極めて小さくなる。
また、素材はステンレス（一部木材）を使用することで軽量な装置となり、運搬及び設置が容易であるとともに素材の長寿命化を図る。
【考案の効果】
【０００８】  請求項１〜７までの魚道利水板付属傾斜装置は堰を全く改変することなく、堰の下流側に設置をするだけでよいため、灌漑用水の取水に影響を与えずに、魚類遡上率を高めることができる。【０００９】  請求項４の魚道利水板付属傾斜装置は、凹凸面が実際の河床のように摩擦を発生させるため、魚類や甲殻類などの水生生物が滑落することなく、傾斜を上ることができる。【００１０】  請求項４の魚道利水板付属傾斜装置は、凹凸面を流れる水が不規則に流れ落ちることで傾斜装置の下流面に気泡を発生させ、波立ちのあるところに集まる習性を利用し、呼び水効果を発揮し、魚類が堰付近に到達した際に迷うことなく魚道装置付近に集まることが可能となる。【００１１】  請求項５の魚道利水板付属傾斜装置は傾斜板上面にフランジを設置することで流水の流向を拡散せずなおかつ流速を増幅させるため、下流部に大きな波立ちを起こすことができ、呼び水効果を発揮し、魚類が堰付近に到達した際に迷うことなく魚道装置付近に集まることが可能となる。【００１２】  請求項６の魚道利水板付属傾斜装置は傾斜板と利水板の間にプールを設けることで、小型の魚類などが休息しながら堰を越えることができ、遡上円滑化を図ることができる。【００１３】  図１に示すような本考案の効果を確認するために魚道利水板付属傾斜装置を以下のように作製した。【００１４】  符号３の斜辺６０ｃｍ、符号４の底辺５０ｃｍ、符号７の対辺４０ｃｍ、傾斜角３０度の魚道利水板付属傾斜装置を用意した。【００１５】  実証実験は共同考案者の居住地に近い彼杵川（長崎県東彼杵郡東彼杵町）において考案関係者のみで行った。【００１６】  実証実験は第１回目を平成２６年１１月４日  １３：００〜１５：００、第２回目を平成２７年４月１５日  １３：００〜１５：００、第３回目を平成２７年５月３０日  １４：００〜１６：００に行った。【００１７】  第１回目は河川に直接魚道利水板付属傾斜装置を設置し、傾斜面の水の流れ方を確認した（図６）。【００１８】  実験の結果、水は傾斜面の側面から漏れ落ちることなく、側面のフランジに沿って、魚類を傾斜面に呼び込むのに必要な水量が流下した。【００１９】  第２回目は魚道利水板付属傾斜装置の使用時に遡上してくる大きさの稚アユ５０匹を用いて行った。【００２０】  限られた数量の稚アユで実験するため、直接河川に放流せずに２ｍ×１ｍ×１ｍの長方形の容器の中に実際の河川と同じように堰部分と魚道部分の落差を設けてその落差部分に魚道利水板付属傾斜装置を設置して魚の遡上状況を確認した。【００２１】  実験の結果、魚道利水板付属傾斜装置が無い場合は落差によって遡上ができないことを確認した。【００２２】  魚道利水板付属傾斜装置を設置した場合は傾斜面をアユが遡上することを確認できた。【００２３】  第３回目も同様の条件で実証実験を行った。この際、アユ以外に彼杵川に棲息している魚類も対象魚として用いた。【００２４】  実験の結果、アユ以外にもオイカワも魚道利水板付属傾斜装置を利用して遡上することを確認した（図８）。
【図面の簡単な説明】
【００２５】
【図１】本装置の斜視図（プール有）。
【図２】本装置の上面図（プール有）。
【図３】本装置の側面図（プール有）。
【図４】本装置の正面図（プール有）。
【図５】中小河川における堰と利水板と魚道の構造の写真。
【図６】中小河川における利水板と魚道の構造の写真。
【図７】中小河川における本装置の設置例の写真（プール無）。
【図８】本考案の活用例（魚類遡上の様子）の写真（プール無）。
【考案を実施するための形態】
【００２６】  農業用水を取水する堰に設置されている魚道頂部に存在する垂直の利水板の直下部に、本考案である魚道利水板付属傾斜装置を設置して、アユ等の魚類の遡上を助けるようにした。
こういった河川において遡上率を高める役を果たすとともに利水者（横断工作物（堰）管理者）の理解も得やすい構造であり、全国各地の河川において導入が可能である。
【実施例】
【００２７】下記に本考案の実施の一つの形態を説明するが、本考案の請求の範囲はこれらによって何等限定されるものではない。
図１は本実施の形態に係る装置を表す図であり、斜視したものである。図２は本装置の上方向からみた図である。図３は本装置を側面方向からみた図である。図４は本装置を正面からみた図である。【００２８】  図１〜図４に示す通り本装置は垂直な利水板に対し、魚が緩傾斜で上れるよう河床勾配と同様の角度をつけたものである。【００２９】  図１〜図４において本装置は符号１〜７の支持部材から構成されている。【００３０】  本装置は符号１、３、４、７の板を用い、直角三角形状に構成する。【００３１】  本装置は符号７ａ〜７ｃに示される四角形状のプール（貯水槽）を設けて符号１、３、４、７の板を用い用いた構成にすることもできる。【００３２】  直角三角形の形状の本装置は符号３で示す傾斜板、符号４で示す底面板、符号７ａ〜７ｂで構成された貯水部などで構成される。【００３３】  本装置の斜面を構成する傾斜板の両側には符号２のフランジを設置する。【００３４】  符号１、２、３、７の支持部材の素材は本実施例では木材の場合を示したがより薄いステンレス材を用いることもでき、またはプラスチック材を用いて一体に構成することもできる。【００３５】  本装置の符号１〜７の支持部材の大きさは設置する河川、堰の規模によって適宜変えることができる。【００３６】  本装置の符号３、４の底面板と傾斜板のなす角は河川の堰の高さ、河床勾配に合わせ適当に設定する。【００３７】  本装置の符号３の斜面に別途、板の装着または傾斜部に溝を掘ることで凹凸面３ａを設けることができる。【００３８】  本装置の固定方法は利水板に上流部１を直接取り付けて固定する固定手段を設けた利水板固定型と底面板を河床と固定する河床固定型がある。【００３９】  利水板固定型の固定方法は符号１の上流部材を固定堰の利水板はめ込み部分に直接はめ込むことによって行う。【００４０】  利水板固定型の固定方法は利水板はめこみ部分に直接はめ込む固定方法に限られず各種固定手段を採用することができる。【００４１】  底部に固定のための孔を設け、符号５、６のナットとボルト式アンカーを用いて符号４の底面板を河床に固定する。【００４２】  河床固定型の固定方法は符号５、６のナットとボルトに限られず各種固定手段を適宜採用することができる。【００４３】  固定した本装置は利水板による遡上の阻害の無い時期は不要のため取り外しができる着脱可能型とする。【００４４】
【産業上の利用可能性】
【００４５】  日本には河川から農業用水を取水する堰が無数に存在している。その多くに魚道が設置されており、魚道の存在しなかった堰にも順次設置されつつあるが、それらの全部とは言えないが多くに垂直の利水板が見られる。これらの魚道はアユ等の魚類の遡上を目的としているにも関わらず、魚道頂部に設置された垂直の利水板のために遡上率が低下している。
本考案である魚道利水板付属傾斜装置はこういった河川において遡上率を高める役を果たすとともに利水者（横断工作物（堰）管理者）の理解も得やすい構造であり、全国各地の河川において導入が可能である。【００４６】  またコスト面でみると、一般的に堰の改良と一体で行われる魚道の設置及び改良工事は１千万円以上の費用を必要とするため、全ての堰に魚道の整備が追い付いていない。しかし、本考案である魚道利水板付属傾斜装置は改良工事を伴わない物品であるため、購入して設置するだけである上、魚道工事の千分の１程度の費用で済むため、課題を抱える多くの河川において広く普及すると考えられる。
【符号の説明】
【００４７】１：上流部
２：フランジ部（２ａ：左側フランジ、２ｂ：右側フランジ）
３：傾斜板（３ａ：凹凸面）
４：底面板
５：ナット（魚道と下板を固定する）
６：ボルト式アンカー
７：プール部
【図１】
0003200421.tif 000003
【図２】
0003200421.tif 000004
【図３】
0003200421.tif 000005
【図４】
0003200421.tif 000006
【図５】
0003200421.tif 000007
【図６】
0003200421.tif 000008
【手続補正書】
【提出日】平成27年8月24日(2015.8.24)
【手続補正１】
【補正対象書類名】明細書
【補正対象項目名】００２５
【補正方法】変更
【補正の内容】
【００２５】
【図１】本装置の斜視図（プール有）。
【図２】本装置の上面図（プール有）。
【図３】本装置の側面図（プール有）。
【図４】本装置の正面図（プール有）。
【図５】中小河川における堰と利水板と魚道の構造の写真。
【図６】中小河川における利水板と魚道の構造の写真。
【図７】中小河川における本装置の設置例の写真（プール無）。
【図８】本考案の活用例（魚類遡上の様子）の写真（プール無）。
【手続補正２】
【補正対象書類名】図面
【補正対象項目名】全図
【補正方法】変更
【補正の内容】
【図１】
0003200421.tif 000009
【図２】
0003200421.tif 000010
【図３】
0003200421.tif 000011
【図４】
0003200421.tif 000012
【図５】
0003200421.tif 000013
【図６】
0003200421.tif 000014
【図７】
0003200421.tif 000015
【図８】
0003200421.tif 000016
【手続補正３】
【補正対象書類名】明細書
【補正対象項目名】００４６
【補正方法】変更
【補正の内容】
【００４６】  またコスト面でみると、一般的に堰の改良と一体で行われる魚道の設置及び改良工事は１千万円以上の費用を必要とするため、全ての堰に魚道の整備が追い付いていない。しかし、本考案である魚道利水板付属傾斜装置は改良工事を伴わない物品であるため、購入して設置するだけである上、魚道工事の百分の１程度の費用で済むため、課題を抱える多くの河川において広く普及すると考えられる。